(57)【要約】【課題】受信機に能力が無いために発生する、画像画質の思いがけないフォールバックを防止する。受信機の記録能力の中から、送信者の送りたいモードを選択できるようにする。【解決手段】Ｇｅｔ＿Ｐｒｉｎｔｅｒ＿Ａｔｔｒｉｂｕｔｅ＿ｒｅｓｐｏｎｓｅの内容を解析し、受信機の記録能力を表示部に表示する手段、表示部に表示された記録能力から送りたいモードを選択する選択手段を設け、選択手段によって選択されたモードに従って原稿の読み取りとＶａｌｉｄａｔｅ＿ｊｏｂメッセージの生成を行い、原稿の送信を実行する。【選択図】        なし【特許請求の範囲】
【請求項１】
インターネット網を利用して画像伝送を行うＩＰＰＦＡＸ装置において、送信原稿の読み取りモードを表示する手段と、表示された読み取りモードから所望の読み取りモードを選択する手段と、Ｇｅｔ＿Ｐｒｉｎｔｅｒ＿Ａｔｔｒｉｂｕｔｅｓメッセージに対する受信機のレスポンスメッセージを解析する手段と、その解析結果と送信機が可能な読み取りモードとを比較する手段とを設け、その比較した結果に応じて読み取りモードを表示部に表示し、その中から送信者の所望の読み取りモードを選択させ、その選択結果に従ってＶａｌｉｄａｔｅ＿ｊｏｂメッセージの生成、送信を行い、原稿画像の送信を行うことを特徴とするＩＰＰＦＡＸ装置。
【請求項２】
インターネット網を利用して画像伝送を行うＩＰＰＦＡＸ装置において、送信原稿の読み取りモードを表示する手段と、表示された読み取りモードから所望の読み取りモードを選択する手段と、Ｇｅｔ＿Ｐｒｉｎｔｅｒ＿Ａｔｔｒｉｂｕｔｅｓメッセージに対する受信機のレスポンスメッセージを解析する手段と、その解析結果と送信者が選択した読み取りモードとを比較する手段とを設け、その比較した結果、送信者が選択した読み取りモードでの記録が不可能な場合、その旨を表示部に表示するとともに、Ｇｅｔ＿Ｐｒｉｎｔｅｒ＿Ａｔｔｒｉｂｕｔｅｓメッセージの解析結果から受信機の記録能力を表示部に表示し、その中から送信者の所望の読み取りモードを再度選択させ、その選択結果に従ってＶａｌｉｄａｔｅ＿ｊｏｂメッセージの生成、送信を行い、原稿画像の送信を行うことを特徴とするＩＰＰＦＡＸ装置。
【請求項３】
上記ＩＰＰＦＡＸ装置において、Ｖａｌｉｄａｔｅ＿ｊｏｂ  メッセージを送信したあと、所定時間、有効なレスポンスメッセージを受信できなかった場合、一度通信を終了し、生成したＶａｌｉｄａｔｅ＿ｊｏｂメッセージおよび読み取った原稿画像データを維持したまま、Ｇｅｔ＿Ｐｒｉｎｔｅｒ＿Ａｔｔｒｉｂｕｔｅｓ  メッセージの送出からやり直すことを特徴とする請求項１および請求項２のＩＰＰＦＡＸ装置。
【発明の詳細な説明】
【０００１】
【発明の属する技術分野】
本発明は、インターネット網上で画像伝送を行うＩＰＰＦＡＸにおける伝送画像品質の設定方法に関するものである。
【０００２】
【従来の技術】
インターネットの普及およびブロードバンドの普及により、従来の公衆電話回線を経由した通常のファクシミリに代わる画像伝送技術として、インターネット網を利用したＩＰＰＦＡＸプロトコルが、ＩＥＥＥのＰｒｉｎｔｅｒ  Ｗｏｒｋｉｎｇ  Ｇｒｏｕｐ（ＰＷＧ）より提案されている。この方式は、インターネット上でｈｔｔｐプロトコルを利用して、従来のファクシミリに似たネゴシエーションを経て、リアルタイムに相手先に画像を伝送するものである。これによって、従来からあるＳＭＴＰを利用した電子メールベースのインターネットファックスに比べて、メールサーバ等を必要としないため安価なシステム構成で、かつインターネットファックスの弱点である即時性の問題を克服することができる。ＩＰＰＦＡＸにおいても、通信の伝送経路にインターネット網を使用するというと言う違いがあるものの、ユーザの使用方法としては公衆電話回線を利用した従来のファクシミリと同様であり、読取部に原稿をセットし、読取モード（解像度、原稿サイズ、モノクロ／カラー等）を選択し、さらに送信相手先を指定するＵＲＬ（Ｕｎｉｆｏｒｍ  Ｒｅｓｏｕｒｃｅ  Ｌｏｃａｔｏｒ）（従来のファクシミリにおける相手先電話番号に相当するもの）を入力して送信を開始すると言った手順を踏むことになる。
【０００３】
また、特開２００１−０８６３０８において、従来のＧ３ファクシミリ装置において、受信機から送られてきたＤＩＳ信号を解析し、受信機の受信能力を表示する。かつ、解析したＤＩＳ信号の内容を短縮ダイヤルやワンタッチダイヤルに関連つけて記憶し、次回以降の送信時の読み取りモード選択時に反映させる。つまり、受信不可能な読み取りモードは選択できないようにする。といった技術が開示されている。
【０００４】
【発明が解決しようとする課題】
しかしながら、公衆回線を利用した従来のファクシミリも含めて上記従来技術では、送信者は通信開始前に画像の読取モードを決定し、原稿の読み取りの開始後に通信を開始する。そのため、送信者が送りたいモードを受信機側がサポートしていない場合、送信機は、受信機が受信記録可能なように、読み取った画像に対して解像度変換なり、画像の縮小なりの処理を行って送信することになる。例えば、送信者が高解像度で読み取りを行っても、受信機の記録部の解像度がそれを満足できなければ、受信機の記録部の能力に合わせた解像度に変換する。また例えばＡ３サイズの画像を読み取っても、受信機がＡ４サイズしか記録できなければ、Ａ４サイズに画像を縮小すると言ったフォールバック処理を行う。カラーモードで送信したくても、受信機にカラー記録能力がなければモノクロ画像になってしまうのも当然のことである。つまり送信者が送りたいモードを受信機がサポートしていない場合、送信者が送りたかったものとは異なる画像として受信者が受け取ることになると言う欠点がある。さらに送信者はその結果、つまりフォールバックしたことを知る由もないという欠点がある。
【０００５】
特開２００１−０８６３０８の発明を利用したとしても、最初の送信時には、フォールバックしたことは認識できるが、その通信では送信者の意図とは違う画像が送信されてしまうという欠点がある。また、例えばカラー送信をしようとしたとき受信機側がカラー受信をサポートしていない場合、符号化方式が違うこともあって、通信エラーとなり、その時の通信費が無駄になってしまうという欠点がある。従来のＧ３ファクシミリではＤＩＳ信号を受信してから読み取りモード設定をやり直すというのは、プロトコル上、ＤＩＳ信号を受信してからＤＣＳ信号を送信するまでの時間が規定されているため、事実上不可能である。さらに、相手先電話番号に関連付けて受信機の記録能力を記憶しておくのも、短縮ダイヤルやワンタッチダイヤルに登録されている相手先だけならまだしも、不特定多数の相手先全ての情報を記憶しておくことは、多大なメモリが必要となり、多大なコストがかかってしまうという欠点がある。この場合でも、前回はカラーモードでの送信が出来たが、今回は受信機のカラーインクあるいはカラートナーが切れていて、カラーでの記録が不可能な場合もありうる。用紙も複数種類のサイズの用紙をセット可能な受信機の場合、今どのサイズの紙がセットされているかはわからないという欠点がある。つまり、前回の通信で取得したデータから受信機の状態が変化していた場合には対応できないという欠点がある。
【０００６】
本発明の目的は、ＩＰＰＦＡＸプロトコルに則った通信において、送信前に受信機の現在の記録能力を知り、その中から送信者の所望の読み取りモードを選択できるように構成することによって、送信者にとって思いがけない画像のフォールバックをなくすこと、すなわち読み取り画像と記録画像の解像度、用紙サイズ、カラー等を一致させることを目的とする。
【０００７】
【課題を解決するための手段】
上記目的を達成するため、本出願の発明は、ＩＰＰＦＡＸプロトコルによる通信が可能な装置において、読み取りモードを表示する手段と、表示された読み取りモードから所望の読み取りモードを選択する手段と、Ｇｅｔ＿Ｐｒｉｎｔｅｒ＿Ａｔｔｒｉｂｕｔｅｓメッセージに対する受信機のレスポンスを解析する手段と、その解析結果と送信機が可能な読み取りモードとを比較する手段とを設け、その比較した結果を読み取りモードとして表示部に表示し、その中から送信者の所望の読み取りモードを選択させ、その選択結果に従って原稿の読み取りを行い、かつＶａｌｉｄａｔｅ＿ｊｏｂメッセージを生成して送信を行うように構成したものである。
【０００８】
このように構成することによって、送信機の読み取りモードと受信機の記録モードの間の不一致をなくすことができる。
【０００９】
【発明の実施の形態】
（第１の実施例）
図１は本発明を実施したＩＰＰＦＡＸ装置２０１のブロック図である。同図において、制御部１０１はシステム制御部であり、端末装置全体を制御する。ＲＯＭ１０２は制御部１０１の制御プログラムやオペレーティングシステム（ＯＳ）プログラムなどが格納され、制御部１０１はここに格納された制御プログラムに従って端末装置の動作を制御する。本発明では、ＲＯＭ１０２に格納されている各制御プログラムは、ＲＯＭ１０２に格納されたＯＳプリグラムの管理下でスケジューリングやタスク切り替えなどのソフトウエア制御が行われる。ＲＡＭ１０３は演算処理や、オペレータが登録した設定値や送信相手先ＵＲＬ、装置の管理データ等の記憶、さらには端末装置をインターネットルータに接続した時に取得するＩＰアドレスの記憶等に使用される。バッファメモリ１０４は読み取った画像データや受信した画像データを蓄積、およびＬＡＮで送受信されるデータパケットの蓄積等を行うものである。操作部１０５は各種入力キーで構成され、オペレータによる各種入力操作を行うものである。表示部１１０は、ＬＥＤ、ＬＣＤ等で構成され、読み取りモードを設定するための表示や、各種設定のための表示、ＩＰＰＦＡＸ装置の動作状況の表示などを行うものである。読取処理部１０６は、読取部１０７において光電変換素子によって原稿を光学的に読み取り、電気的な画像データに変換した画像信号を、２値化処理、中間調処理などの各種画像処理を施して高精細な画像データを出力するものである。読取処理部は、ＲＯＭ１０２に格納された制御プログラムのスキャン制御タスクプログラムによって制御される。読取部１０７はＣＣＤやコンタクトイメージセンサ等の光電変換素子によって構成されている。記録処理部１０８は、記録部１０９によって画像データを記録するために、記録画像データに対し解像度変換処理やスムージング処理をおこなう。また、記録部１０９に紙無し、紙ジャム、トナー（あるいはインク）切れなどの障害が発生したとき、記録部１０９から障害情報を受け取り、制御部１０１に通知するものである。記録処理部は、ＲＯＭ１０２に格納された制御プログラムのプリンタ制御タスクプログラムによって制御される。記録部１０９はレーザービームプリンタやインクジェットプリンタ等で構成されていて、記録紙検知手段、トナー（あるいはインク）検知手段、ジャム検知手段を有している。符号復号化処理部１１２は、通信モードに応じて画像データを、ＭＨ、ＭＲ、ＪＩＢＧ、ＪＰＥＧ等の圧縮伸張する符号復号化処理を行うものである。１１５はＬＡＮでの通信制御を行うＬＡＮ制御部である。ＬＡＮ制御部はＬＡＮに接続され、ＴＣＰ／ＩＰ等の規格に沿ってプロトコル制御を行い、例えば１０Ｂａｓｅ／Ｔの速度で、ＩＰＰＦＡＸ装置が取得したＩＰアドレスを宛先にしたデータパケットの受信およびＩＰＰＦＡＸ装置からのデータパケットの送信を行う。ＬＡＮ制御部は、データパケットを受信すると制御部１０１に通知する。１２０は、制御部１０１と各ブロックを接続するシステムバスである。
【００１０】
２０７は、ＬＡＮケーブルで、これによってインターネットルータ２０４に接続される。
【００１１】
図２は、本発明のＩＰＰＦＡＸ装置の利用形態を示したものである。同図において、２０１は本発明のＩＰＰＦＡＸ装置であり、例えば  ｉｐｐｆａｘ：／／ａｂｃ．ｃｏｍ  というＵＲＬを有する。２０２はインターネット網（ＩＰ網）、２０３はＤＮＳ（Ｄｏｍａｉｎ  Ｎａｍｅ  Ｓｙｓｔｅｍ）サーバであり、ドメインネームをＩＰアドレスに変換するものである。２０４，２０５はＩＰＰＦＡＸ装置をＩＰ網に接続するためのインターネットルータであり、ＩＰ網を流れるデータパケットの中から、ルータに接続された装置宛てのパケットを選別する機能も有する。２０６は相手先ＩＰＰＦＡＸ装置であり、例えばｉｐｐｆａｘ：／／ｅｆｇ．ｃｏｍというＵＲＬを有する。２０７、２０８はＬＡＮケーブルである。
【００１２】
図３は、表示部１１０と操作部１０５の一部を示したもので、表示部に表示された読み取りモードから、矢印キー３０１によって読み取りモードを選択し、決定キー３０２によって決定する。
【００１３】
以下、本発明のＩＰＰＦＡＸ装置２０１から相手先ＩＰＰＦＡＸ装置２０６へ画像を送信するときの動作および操作を、図７のフローチャートも交えて説明する。
【００１４】
送信者は、送信原稿を読取部にセットし、操作部から不図示の入力キーによって、相手先ＵＲＬ（ｉｐｐｆａｘ：／／ｅｆｇ．ｃｏｍ）を入力して決定キーを押下する（Ｓ１０１）。前記操作が行われると、ＩＰＰＦＡＸ装置は、ＤＮＳサーバに対して問い合わせを行い（Ｓ１０２）、ＤＮＳサーバから相手先ＩＰＰＦＡＸ装置  ｉｐｐｆａｘ：／／ｅｆｇ．ｃｏｍ  のＩＰアドレスを得る（Ｓ１０３）。相手先ＩＰＰＦＡＸ装置のＩＰアドレスが得られたら、そのＩＰアドレスに対してｈｔｔｐプロトコルによってＩＰＰＦＡＸプロトコルの通信を開始し、相手先ＩＰＰＦＡＸ装置に対して  Ｇｅｔ＿Ｐｒｉｎｔｅｒ＿Ａｔｔｒｉｂｕｔｅｓ  メッセージを送信する（Ｓ１０４）。Ｇｅｔ＿Ｐｒｉｎｔｅｒ＿Ａｔｔｒｉｂｕｔｅｓ  メッセージは、相手先ＩＰＰＦＡＸ装置の装置名称、処理可能な文書フォーマット等を確認するものである。相手先ＩＰＰＦＡＸ装置から  Ｇｅｔ＿Ｐｒｉｎｔｅｒ＿Ａｔｔｒｉｂｕｔｅｓ  メッセージに対するレスポンスである  Ｇｅｔ＿Ｐｒｉｎｔｅｒ＿Ａｔｔｒｉｂｕｔｅｓ＿Ｒｅｓｐｏｎｓｅ  メッセージを受信すると（Ｓ１０５）、そのメッセージを解析して、相手先ＩＰＰＦＡＸ装置が受信可能な文書形式、受信機の用紙サイズ等を確認する（Ｓ１０６）。
【００１５】
ＩＰＰＦＡＸプロトコルで扱える文書形式はＵＩＦ（Ｕｎｉｖｅｒｓａｌ  Ｉｍａｇｅ  Ｆｏｒｍａｔ）で規定されていて、ＴＩＦＦ−ＦＸ  Ｐｒｏｆｉｌｅ  Ｓ、Ｐｒｏｆｉｌｅ  Ｆ、Ｐｒｏｆｉｌｅ  Ｊ、Ｐｒｏｆｉｌｅ  Ｃ  等があり、それぞれ、符号化方式、解像度等が規定されている。例えば、Ｐｒｏｆｉｌｅ  Ｆ  では、符号化方式としては、ＭＨ、ＭＲ、ＭＭＲが選択でき、解像度は２００×２００ｄｐｉ、３００×３００ｄｐｉ、６００×６００ｄｐｉが選択できる。Ｐｒｏｆｉｌｅ  Ｊ  はＪＢＩＧ符号化をサポートし、Ｐｒｏｆｉｌｅ  Ｃ  はＪＰＥＧ符号化をサポートしている。もし、カラーの画像送信を行いたい場合は、受信機がＰｒｏｆｉｌｅ  Ｃをサポートしてなければならない。
【００１６】
用紙サイズは、キーワードとしてＲＦＣ１７５９に規定されている。
【００１７】
ＩＰＰＦＡＸ装置は、相手先ＩＰＰＦＡＸ装置のＧｅｔ＿Ｐｒｉｎｔｅｒ＿Ａｔｔｒｉｂｕｔｅｓ＿Ｒｅｓｐｏｎｓｅ  メッセージを解析すると、その結果と自分の読取可能な解像度と、カラーを比較する（Ｓ１０７）。その比較した結果から、送信可能な読み取りモードを、図３に示すようにメニューとして表示部に表示する（Ｓ１０８）。例えば、読み取り解像度が記録解像度を上回っていれば、記録可能な解像度を表示し、記録解像度が読み取り解像度を上回っていれば、読み取り可能な解像度を表示する。カラーについても、カラー読み取りが可能か、カラー記録が可能かに応じて表示する。用紙サイズは、記録可能な用紙サイズを表示する。この時表示部に表示するメニュー画面データはＲＯＭに記憶しておく。
【００１８】
さらに、表示されたメニューから矢印キーによって、項目を選択し、決定キーによって読み取りモードを決定する（Ｓ１０９）。
【００１９】
図３〜図６に沿って、この操作および表示の例を説明する。例えば、Ｇｅｔ＿Ｐｒｉｎｔｅｒ＿Ａｔｔｒｉｂｕｔｅｓ＿Ｒｅｓｐｏｎｓｅ  メッセージから、相手先ＩＰＰＦＡＸ装置が、ＴＩＦＦ−ＦＸ  Ｐｒｏｆｉｌｅ  Ｆ  および  Ｐｒｏｆｉｌｅ  Ｃ  をサポートし、解像度もそれぞれ６００×６００ｄｐｉ、３００×３００ｄｐｉをサポートしていて、用紙サイズはＡ４のみとする。ＩＰＰＦＡＸ装置も６００×６００ｄｐｉの読み取りが可能だとする。表示部は図３のように表示する。設定項目は、カラー、解像度、用紙サイズの３項目で、それぞれ、カラー／モノクロ、２００×２００ｄｐｉ／３００×３００ｄｐｉ／６００×６００ｄｐｉ、用紙サイズはＡ４のみなのでＡ４が選択できるようになっている。最初に読み取り色を決定するために、カラーの部分が反転しているが、矢印キー”↓”を押下するごとに選択項目が、カラー→解像度→用紙サイズ→カラー→・・・と移動して、選択されている設定項目が反転する。次に”→”キーを押下すると、その設定項目における設定項目の選択モードに入る。そこで”↓”キーを押下するごとに、その設定項目内での選択項目が変化する。例えばカラー設定時に”→”キーを押下すると、モノクロが反転し、”↓”キーを押下するごとに、モノクロ→カラー→モノクロ→・・・と変化する。カラーを選択するためには、図４のようにカラーが反転しているときに決定キーを押下する。決定キーが押下されると、図５のように自動的に解像度の設定モードに入り、同様に”→”キーを押下すると、解像度の設定モードに入って、解像度が”↓”キーによって選択できるようになる。ここで、Ｐｒｏｆｉｌｅ  Ｃでは３００×３００ｄｐｉまでしかサポートしていないので、選択項目から６００×６００ｄｐｉは消去される。ここでも読み取りたい解像度が反転しているところで決定キーを押下すると、読み取り解像度が決定する。図６では３００×３００ｄｐｉを選択している。用紙サイズは相手方ＩＰＰＦＡＸ装置がＡ４の用紙しかないので選択は出来ないが、相手先の用紙サイズを送信者に通知するために表示しておく。これで読み取りモードが決定したので、不図示の送信キーを押下すると、決定した読み取りモードに従って読み取りを開始し（Ｓ１１０）、かつ決定した読み取りモードに対応したＶａｌｉｄａｔｅ＿ｊｏｂ  メッセージを送信して（Ｓ１１１）、ＩＰＰＦＡＸプロトコルを継続し、相手先ＩＰＰＦＡＸ装置からＶａｌｉｄａｔｅ＿ｊｏｂ＿Ｒｅｓｐｏｎｓｅ  メッセージを受けると（Ｓ１１２）、Ｐｒｉｎｔ＿ｊｏｂによって画像データを送信する（Ｓ１１３）。画像データの送信が終了すると、Ｇｅｔ＿Ｎｏｔｉｆｉｃａｔｉｏｎｓ  メッセージを送信し、相手先ＩＰＰＦＡＸ装置から正常にレスポンスが返ってきたら（Ｓ１１４）通信を終了する。この時のＩＰＰＦＡＸプロトコルの流れを図８に示す。
前記構成は、Ｇｅｔ＿Ｐｒｉｎｔｅｒ＿Ａｔｔｒｉｂｕｔｅｓ＿Ｒｅｓｐｏｎｓｅ  メッセージを受けたあとで読み取りモードを設定する操作を行うため、相手先ＩＰＰＦＡＸ装置がタイムアウトして通信を止めている可能性がある。もし、Ｖａｌｉｄａｔｅ＿ｊｏｂ  メッセージを送信したあと、所定時間の間に有効なＶａｌｉｄａｔｅ＿ｊｏｂ＿Ｒｅｓｐｏｎｓｅ  メッセージを受け取れなかった場合（Ｓ１１５）は、通信を一度終了し、先ほど設定した読み取りモードの情報および読み取った画像データを維持したまま、再度Ｇｅｔ＿Ｐｒｉｎｔｅｒ＿Ａｔｔｒｉｂｕｔｅｓ  メッセージを送信し（Ｓ１１６）、通信をやり直す。このときは、すでにＶａｌｉｄａｔｅ＿ｊｏｂ  メッセージの内容も決定しているし、画像データも記憶されているので、再度送信者に設定を行わせることはなく、速やかに通信が行われる。この時のＩＰＰＦＡＸプロトコルの流れを図９に示す。
【００２０】
以上のように構成することによって、相手先ＩＰＰＦＡＸ装置の記録能力に合わせて読み取りモードを設定できるようになり、送信者にとって思いがけない画像のフォールバックをなくすことができる。
【００２１】
本実施例では、解像度の項目に直接解像度を表示するように説明したが、送信者の操作を分かりやすくするために、２００×２００ｄｐｉ、３００×３００ｄｐｉ、６００×６００ｄｐｉに対応して、それぞれ「はやい」、「ふつう」、「きれい」という表示にしてもよい。
【００２２】
また本実施例では、読み取りモードを選択したあとに原稿の読み取りを開始するように説明したが、相手先ＩＰＰＦＡＸ装置とのネゴシエーションを開始する前に読み取りを開始するように構成されたＩＰＰＦＡＸ装置においては、原稿の読み取り時に最高解像度で読み取っておき、画像データ送信時に、選択された解像度に変換して送信するように構成すれば、本発明の目的は達成される。
【００２３】
（第２の実施例）
従来のファクシミリ装置のように、あらかじめ通信開始前に画像の読取モードを決定しておいてから通信を開始する操作も想定される。このような場合も、ＧＥＴ＿Ｐｒｉｎｔｅｒ＿Ａｔｔｒｉｂｕｔｅｓ＿Ｒｅｓｐｏｎｓｅ  信号を解析した後、選択した読み取りモードとの不一致があった場合、その旨を表示し、受信機が記録可能なモードでの読み取りモードに設定しなおしてから、原稿の読み取り、送信を行うようにする。
【００２４】
図１０、図１１は、そのときの表示部１１０および操作部１０５の一部を示したものである。同図において、１００１は読み取りモードがカラーモードなのかモノクロモードなのかを表示するＬＥＤで、カラー選択キー１００２を押下するごとにカラー、モノクロの間でオルタネートに点灯し、点灯しているモードでの読み取りを行う。１００３は読み取り解像度を表示するＬＥＤで、解像度選択キー１００４を押下するごとに、２００ｄｐｉ、３００ｄｐｉ、６００ｄｐｉの何れかが点灯し、点灯している解像度で読み取りを行う。
【００２５】
この動作の例を、図１２のフローチャートを交えて説明する。ここで例えば送信者は、カラーモード、解像度３００ｄｐｉでＢ４サイズの原稿を送信したいとする。送信者は原稿台に原稿をセットし（Ｓ２０１）、カラー選択キー１００２を操作してカラーモードを選択し（カラーが点灯）、次に解像度選択キー１００４を操作して解像度３００ｄｐｉを選択する（３００ｄｐｉが点灯）（Ｓ２０２）。その後操作部から不図示の入力キーによって、相手先ＵＲＬ（ｉｐｐｆａｘ：／／ｅｆｇ．ｃｏｍ）を入力して不図示の送信キーを押下する（Ｓ２０３）。前記操作が行われると、ＩＰＰＦＡＸ装置は、ＤＮＳサーバに対して問い合わせを行い（Ｓ２０４）、ＤＮＳサーバから相手先ＩＰＰＦＡＸ装置ｉｐｐｆａｘ：／／ｅｆｇ．ｃｏｍのＩＰアドレスを得る（Ｓ２０５）。相手先ＩＰＰＦＡＸ装置のＩＰアドレスが得られたら、そのＩＰアドレスに対してｈｔｔｐプロトコルによってＩＰＰＦＡＸプロトコルの通信を開始し、相手先ＩＰＰＦＡＸ装置に対して  Ｇｅｔ＿Ｐｒｉｎｔｅｒ＿Ａｔｔｒｉｂｕｔｅｓ  メッセージを送信する（Ｓ２０６）。相手先ＩＰＰＦＡＸ装置から  Ｇｅｔ＿Ｐｒｉｎｔｅｒ＿Ａｔｔｒｉｂｕｔｅｓ＿Ｒｅｓｐｏｎｓｅ  メッセージを受信すると（Ｓ２０７）、そのメッセージを解析して、相手先ＩＰＰＦＡＸ装置が受信可能な文書形式、受信機の用紙サイズ等を確認する（Ｓ２０８）。次に、解析した結果と通信開始前に選択した読み取りモードと比較する（Ｓ２０９）。本実施例では、受信機はカラーの記録能力は無く、記録解像度は３００ｄｐｉかつ記録紙はＡ４サイズだったとする。送信者はカラーでＢ４サイズの原稿を送信したかっので、送信側の読み取りモードと受信側の記録モードに不一致が生ずる。この不一致が生ずると、図１０に示すように、表示部に選択した読み取りモードでは送信できないことを示すメッセージを表示（この例では「ご希望の読み取りモードでは送信できません。」と表示）し（Ｓ２１１）、次にＧｅｔ＿Ｐｒｉｎｔｅｒ＿Ａｔｔｒｉｂｕｔｅｓ＿Ｒｅｓｐｏｎｓｅ  メッセージの解析結果から、受信機の記録能力を図１１に示すように表示する（Ｓ２１２）。この例では、受信機はモノクロモードでしか印字できず、記録解像度も２００ｄｐｉと３００ｄｐｉのみサポート、記録紙はＡ４サイズである。送信者は図１１の表示を見ながら、読み取りモードを変更して送信するか、送信自体を中止するかを判断できる（Ｓ２１３）。読み取りモードを変更する場合は、カラー選択キー１００２を押下してモノクロモードを選択し、必要があれば解像度選択キーを押下して所望の解像度を選択する（Ｓ２１４）。記録紙サイズについては、送信側からは変更不可能であるが、送信する前に送信原稿が受信機側でＡ４サイズに縮小されて記録されることを認識することができる。読み取りモードの選択が終了したら、再び不図示の送信キーを押下すると、原稿の読み取りが開始され（Ｓ２１５）、受信側に、選択しなおした読み取りモードに対応したＶａｌｉｄａｔｅ＿ｊｏｂ  メッセージを送信して（Ｓ２１６）、ＩＰＰＦＡＸプロトコルを継続し、ＩＰＰＦＡＸプロトコルに則って原稿の送信を行う。図１１の受信機の記録能力を見た結果、送信自体を中止する場合は、不図示の停止キーを押下することで、送信動作が停止する（Ｓ２１３）。また、Ｇｅｔ＿Ｐｒｉｎｔｅｒ＿Ａｔｔｒｉｂｕｔｅｓ＿Ｒｅｓｐｏｎｓｅ  メッセージを解析した結果、原稿の読み取りモードと受信機の記録能力に不一致がなかった場合は（Ｓ２１０）、原稿の読み取りを開始し（Ｓ２１５）、Ｖａｌｉｄａｔｅ＿ｊｏｂ  メッセージを送信して（Ｓ２１６）ＩＰＰＦＡＸプロトコルに則って原稿の送信を行う。
【００２６】
以上のように構成することによっても、受信側ＩＰＰＦＡＸ装置の記録能力に合わせて読み取りモードを設定できるようになり、送信者にとって思いがけない画像のフォールバックをなくすことができる。
【００２７】
前記第１の実施例にも示したように、Ｇｅｔ＿Ｐｒｉｎｔｅｒ＿Ａｔｔｒｉｂｕｔｅｓ＿Ｒｅｓｐｏｎｓｅ  メッセージを受信した後、読取モードの再設定を行った場合、相手先ＩＰＰＦＡＸ装置がタイムアウトして通信を止めている可能性がある。もし、Ｖａｌｉｄａｔｅ＿ｊｏｂ  メッセージを送信したあと、所定時間の間に有効なＶａｌｉｄａｔｅ＿ｊｏｂ＿Ｒｅｓｐｏｎｓｅ  メッセージを受け取れなかった場合は、前記第１の実施例で示したのと同様に、通信を一度終了し、設定し直した読み取りモードの情報および読み取った画像データを維持したまま、再度Ｇｅｔ＿Ｐｒｉｎｔｅｒ＿Ａｔｔｒｉｂｕｔｅｓ  メッセージを送信し、通信をやり直すようにしてもよい。このときは、すでにＶａｌｉｄａｔｅ＿ｊｏｂ  メッセージの内容も決定しているし、画像データも記憶されているので、再度送信者に設定を行わせることはなく、速やかに通信が行われる。
【００２８】
【発明の効果】
以上説明したように本発明によれば、読み取りモードを表示する手段と、表示された読み取りモードから所望の読み取りモードを選択する手段と、Ｇｅｔ＿Ｐｒｉｎｔｅｒ＿Ａｔｔｒｉｂｕｔｅｓメッセージに対する受信機のレスポンスを解析する手段と、その解析結果と送信機が可能な読み取りモードとを比較する手段とを設け、その比較した結果を読み取りモードとして表示部に表示し、その中から送信者の所望の読み取りモードを選択させ、その選択結果に従って原稿の読み取りを行い、かつＶａｌｉｄａｔｅ＿ｊｏｂメッセージを生成して送信を行うように構成することによって、ＩＰＰＦＡＸ装置において、送信前に受信機のいま現在の記録能力を知り、かつその中から送信者の所望の読み取りモードが選択できるようになり、送信機の読み取りモードと受信機の記録モードの間の不一致をなくすことができ、送信者が意図しない画像のフォールバックを防止することができる。
【図面の簡単な説明】
【図１】本発明を実施したＩＰＰＦＡＸ装置のブロック図。
【図２】ＩＰＰＦＡＸ装置の利用形態を示した図。
【図３】設定表示の例。
【図４】設定表示の例。
【図５】設定表示の例。
【図６】設定表示の例。
【図７】本発明の通信動作を表すフローチャート。
【図８】本発明実施時の通信プロトコルを表した図。
【図９】本発明実施時の通信プロトコルを表した図。
【図１０】第２の実施例での表示の例。
【図１１】第２の実施例での表示の例。
【図１２】第２の実施例での通信動作を示すフローチャート。
【符号の説明】
１０１  制御部
１０２  ＲＯＭ
１０３  ＲＡＭ
１０４  バッファメモリ
１０５  操作部
１０６  読取処理部
１０７  読取部
１０８  記録処理部
１０９  記録部
１１０  表示部
１１２  符号化処理部
１１５  ＬＡＮ制御部
２０１  ＩＰＰＦＡＸ装置
２０２  ＩＰ網
２０３  ＤＮＳサーバ
２０４，２０５  インターネットルータ
２０６  ＩＰＰＦＡＸ装置
２０７，２０８  ＬＡＮケーブル
３０１  矢印キー
３０２  決定キー
１００１  カラー／モノクロを示すＬＥＤ
１００２  カラー／モノクロを選択する選択キー
１００３  読取解像度を示すＬＥＤ
１００４  読取解像度選択キー
【図１】
2005020237.tif 000002
【図２】
2005020237.tif 000003
【図３】
2005020237.tif 000004
【図４】
2005020237.tif 000005
【図５】
2005020237.tif 000006
【図６】
2005020237.tif 000007
【図７】
2005020237.tif 000008
【図８】
2005020237.tif 000009
【図９】
2005020237.tif 000010
【図１０】
2005020237.tif 000011
【図１１】
2005020237.tif 000012
【図１２】
2005020237.tif 000013